(57)【特許請求の範囲】
【請求項１】
リール本体に設けられたハンドルの回転操作に連動して回転するロータのアーム部に釣糸巻取位置と釣糸放出位置とに反転可能に支持された釣糸案内部を有する支持部材と、
前記ロータが逆回転するのを防止する逆転防止状態と前記ロータが正回転および逆回転可能な正逆転可能状態とに切換え可能な切換レバーを有する逆転防止機構と
を具備する魚釣用スピニングリールにおいて、
前記逆転防止機構が逆転防止状態にあるときに、前記支持部材の釣糸巻取位置から釣糸放出位置への反転を許容し、前記逆転防止機構が正逆転可能状態にあるときに、前記支持部材の釣糸巻取位置から釣糸放出位置への反転が出来ないように、前記支持部材を規制する規制手段を備えていることを特徴とする魚釣用スピニングリール。
【請求項２】
前記支持部材が釣糸放出位置にあるときに前記ロータが釣糸巻き取り方向に回転することを規制し、前記支持部材が釣糸巻取位置にあるときに前記ロータが正回転および逆回転することを許容する回転規制機構をさらに具備し、
前記規制手段は、
前記リール本体に設けられた係合部と、
前記係合部に係合して前記逆転防止機構の正逆転可能状態及び逆転防止状態の切換えによって移動する防止部材と
を備え、
前記逆転防止機構が前記正逆転可能状態にあるとき、または、前記逆転防止状態から前記正逆転可能状態に切換えられたときに、前記係合部に係合した前記防止部材で前記回転規制機構の作動を規制したことを特徴とする請求項１に記載の魚釣用スピニングリール。
【発明の詳細な説明】
【技術分野】
【０００１】
本発明は、ハンドルに連動して回転するロータに、釣糸案内部を有する支持部材を釣糸巻取位置と釣糸放出位置とに反転自在に支持した魚釣用スピニングリールに関する。
【背景技術】
【０００２】
魚釣用スピニングリールは、ロータの支持アームの前部に釣糸案内部を有する支持部材を反転可能に支持するとともに、この支持部材を釣糸巻取位置と釣糸放出位置に振り分けて付勢して保持する振り分け機構を備え、また、釣糸放出位置にある支持部材を釣糸巻取位置に自動復帰させる反転復帰機構や釣糸放出操作時のロータの不用意な回転による誤復帰やロータの破損、損傷を防止するために、ロータの釣糸巻き取り方向の回転を規制する回転規制機構を備えたものが例えば特許文献１に開示されている。
【特許文献１】特開２００２−２８１８７３号公報
【発明の開示】
【発明が解決しようとする課題】
【０００３】
魚釣用スピニングリールには、一般的にロータの回転を逆転防止状態（ＯＮ）と正回転および逆回転可能な正逆転可能状態（ＯＦＦ）との切換え可能な逆転防止機構及び切換レバーを備えており、魚釣操作（釣糸巻き取り操作）時には、通常、逆転防止機構はＯＮの状態に設定される。
【０００４】
釣糸を放出操作する前に、例えば釣人は竿先からの仕掛けの垂らし長さを調節するために、逆転防止機構を正逆転可能状態（切換レバーがＯＦＦの位置）に切換えた後、ロータを正回転または逆回転させて適切な垂らし長さに調節する。
【０００５】
釣糸が放出される連続的な作業の中で、釣人はうっかりしてロータの正逆回転可能状態（切換レバーがＯＦＦの位置）でベールを起こして釣糸の放出操作を行ってしまうことがあり、釣糸の振り下ろし時の勢いやハンドル位置の影響等によりロータが勢い良く逆回転して釣糸を放出してロータやリール本体に非常に大きな力が作用して回転規制機構や反転復帰機構等にダメージを与えてしまい、リールの寿命を短くしてしまう可能性がある。
【０００６】
本発明は前記事情に着目してなされたものであり、その目的とするところは、切換レバーが正逆転可能状態にあるときに、支持部材を釣糸放出位置に反転することを規制することが可能な魚釣用スピニングリールを提供することにある。
【課題を解決するための手段】
【０００７】
上記課題を解決するために、この発明に係る魚釣用スピニングリールは、リール本体に設けられたハンドルの回転操作に連動して回転するロータのアーム部に釣糸巻取位置と釣糸放出位置とに反転可能に支持された釣糸案内部を有する支持部材と、前記ロータが逆回転するのを防止する逆転防止状態と前記ロータが正回転および逆回転可能な正逆転可能状態とに切換え可能な切換レバーを有する逆転防止機構とを備えている。そして、前記逆転防止機構が逆転防止状態にあるときに、前記支持部材の釣糸巻取位置から釣糸放出位置への反転を許容し、前記逆転防止機構が正逆転可能状態にあるときに、前記支持部材の釣糸巻取位置から釣糸放出位置への反転が出来ないように、前記支持部材を規制する規制手段を備えていることを特徴とする。  
また、魚釣用スピニングリールは、前記支持部材が釣糸放出位置にあるときに前記ロータが釣糸巻き取り方向に回転することを規制し、前記支持部材が釣糸巻取位置にあるときに前記ロータが正回転および逆回転することを許容する回転規制機構をさらに備え、前記規制手段は、前記リール本体に設けられた係合部と、前記係合部に係合して前記逆転防止機構の正逆転可能状態及び逆転防止状態の切換えによって移動する防止部材とを備え、前記逆転防止機構が前記正逆転可能状態にあるとき、または、前記逆転防止状態から前記正逆転可能状態に切換えられたときに、前記係合部に係合した前記防止部材で前記回転規制機構の作動を規制したことが好適である。
【発明の効果】
【０００８】
本発明の魚釣用スピニングリールによれば、切換レバーが正逆転可能状態にあるときに、支持部材を釣糸放出位置に反転できないよう規制する構成としたので、釣人が釣糸放出モードでないことを直接手で支持部材やベールを触れて認識でき、逆転防止機構の正逆転可能状態時での誤った釣糸放出操作を未然に回避できると共に、ロータやリール本体に非常に大きな力を与えてしまうことを防止し、リールの長寿命化を図ることができる。
【発明を実施するための最良の形態】
【０００９】
以下、図面を参照しながらこの発明を実施するための最良の形態について説明する。  
図１には、本発明の一実施形態に係る魚釣用スピニングリール１０の全体構成に主要部の構成を合わせた部分断面図を示す。
【００１０】
魚釣用スピニングリール１０は、例えば金属で剛性構造に形成されたリール本体１２と、リール本体１２の前方に回転可能に配されたロータ１４と、ロータ１４の回転運動と同期して前後動可能に配設されたスプール１６とを有している。このリール本体１２は、ロータ１４やスプール１６が配設された位置から延出された脚部１２ａの端部に形成された竿取付部１２ｂを介して図示しない釣竿に取り付けられる。
【００１１】
リール本体１２内には、ハンドル軸２２が回転可能に支持されており、その突出端部には、巻き取り操作されるハンドル２４が取り付けられている。ハンドル軸２２には、ロータ１４を巻き取り駆動するための巻き取り駆動機構が係合されている。この巻き取り駆動機構は、ハンドル軸２２に取り付けられ内歯が形成されたドライブギャ３２と、このドライブギャ３２に噛合し、ハンドル軸２２と直交する方向に延出すると共に内部に軸方向に延出する空洞部が形成された筒状のピニオンギャ３４とを備えている。ピニオンギャ３４は、後述する支持部５０に軸受３４ａを介して回転可能に支持されており、その空洞部には、ハンドル軸２２と直交する方向に延出し、先端側にスプール１６を取り付けたスプール軸３６が軸方向に移動可能に挿通された状態で支持されている。
【００１２】
また、ピニオンギャ３４には、スプール軸３６を前後動させるオシレーティング機構が係合されている。このオシレーティング機構は、スプール軸３６と平行に延出された螺軸３８と、この螺軸３８の外周面に形成された螺旋溝３８ａに係合すると共に、スプール軸３６の基端部にビス止めして取り付けられた係合子４０とを有している。螺軸３８の端部には、ピニオンギャ３４と噛合する連動歯車４２が取り付けられており、螺軸３８が、ピニオンギャ３４及び連動歯車４２を介して回転駆動されることで、スプール軸３６は螺旋溝３８ａ内に案内される係合子４０の係合ピン４０ａを介して前後動される。
【００１３】
ピニオンギャ３４はスプール１６側に向けて延出されており、その先端部において、ナット４４を介してロータ１４が取り付けられている。また、ピニオンギャ３４には、その中間部分に図２（Ａ）および図３（Ａ）に示す転がり式の一方向クラッチ（逆転防止機構）４６が取り付けられている。
【００１４】
図２（Ａ）、図３（Ａ）および図４には、リール本体１２に配設され、ピニオンギャ３４を支える支持部５０を示す。この支持部５０は、軸受３４ａの前方に、段部５０ａを有し、この段部５０ａ内に転がり式一方向クラッチ４６を収容し、支持している。この一方向クラッチ４６は、ピニオンギャ３４の作動部３４ｂに回り止め嵌合された内輪部材５２と、前部段部５０ａ内に嵌合された外輪部材５６との間に保持器５８ａで保持されたローラ状の複数の転がり部材５８が配設されている。外輪部材５６は回り止め部材６０により、支持部５０内で回り止めされる。
【００１５】
転がり部材５８は、内輪部材５２の滑らかな円筒状面で形成された外周面と外輪部材５６の内周面との間で、楔作用するクラッチ４６の作動状態（図２（Ａ）参照）と、自由に回転する非作動状態（図３（Ａ）参照）とに移動される。すなわち、保持器５８ａは、転がり部材５８を自由回転領域と回転規制領域との間で移動することができる。そして、この保持器５８ａからは、作動アーム５８ｂが径方向外方に突出されている。この作動アーム５８ｂには、リール本体１２内を前後に延びる操作軸６２ａを介して、リール本体１２の後端部に配置した切換レバー６２（図１参照）が連結されている。
【００１６】
このため、リール本体１２の後端部に取り付けられている切換レバー（ストッパ）６２を操作することで、操作軸６２ａを回動させて保持器５８ａを自由回転領域と回転規制領域との間で移動し、一方向クラッチ４６を作動状態（ロータ１４が正回転可能な逆転防止状態）（図２（Ａ）参照）と、非作動状態（ロータ１４が正回転および逆回転可能な正逆転可能状態）（図３（Ａ）参照）とに切換えるように構成されている。この場合、切換レバー６２を逆転防止状態（ＯＮ）に切換えることで、ハンドル２４（ロータ１４）の正転方向の回転（釣糸の巻き取り）を許容し逆転方向の回転（釣糸の放出）が防止され、切換レバー６２を正逆転可能状態（ＯＦＦ）に切換えることで、ハンドル２４（ロータ１４）の正回転および逆回転が可能となっている。
【００１７】
ロータ１４は、スプール１６のスカート部１６ａ内に位置する筒部（円筒部）１４ａと、一対のアーム部１４ｂａ，１４ｂｂを有している。各アーム部１４ｂａ，１４ｂｂ（代表する場合は符号１４ｂとする）の前端部には、第１および第２のベール支持部材１４ｃａ，１４ｃｂ（代表する場合は符号１４ｃとする）が釣糸巻取位置（図５（Ａ）参照）と釣糸放出位置（図５（Ｂ）参照）との間で回動自在（反転自在）に支持されている。これらベール支持部材１４ｃａ，１４ｃｂの間には、釣糸放出状態にある釣糸をピックアップするベール１４ｄが配設されている。この場合、ベール１４ｄの一方の基端部がベール支持部材１４ｃａに取り付けられており、他方の基端部がベール支持部材１４ｃｂに一体的に設けられた釣糸案内部１４ｅに取り付けられている。
【００１８】
スプール１６は、スカート部１６ａと前側フランジ１６ｂとの間に釣糸が巻回される釣糸巻回胴部１６ｃを備えており、スプール軸３６に、ドラグノブ７２を介して取り付けられている。
【００１９】
上記した構成により、ハンドル２４を正回転方向に巻き取り操作することで、ロータ１４がドライブギャ３２およびピニオンギャ３４を介して回転駆動され、かつ、スプール１６がピニオンギャ３４およびオシレーティング機構を介して前後動され、釣糸は、釣糸案内部１４ｅを介してスプール１６の巻回胴部１６ｃに均等に巻回される。
【００２０】
そして、リール本体１２及びロータ１４には、ベール１４ｄを釣糸放出位置に配置した際にロータ１４が釣糸巻き取り方向に回転することを規制する、ベール１４ｄの反転機構（回転規制機構）８０が設けられている。以下、本実施の形態における反転機構８０の構成を、図２、図３および図５を参照しながら説明する。
【００２１】
図２（Ｂ）は図５（Ａ）の２Ｂ−２Ｂ線に沿う断面図であり、図３（Ｂ）は図５（Ｂ）の３Ｂ−３Ｂ線に沿う断面図である。図５（Ａ）および図５（Ｂ）は、アーム部１４ｂａの外カバー１４ｆ（図２（Ａ）および図３（Ａ）参照）を取り外して、復帰用移動部材８２を露出させた状態を示す。また、図５（Ａ）は、ベール１４ｄを釣糸巻取位置に回動させた状態を示す図であり、図５（Ｂ）は、ベール１４ｄを釣糸放出位置に回動させた状態を示す図である。
【００２２】
反転機構８０は、ロータ１４の一方のアーム部１４ｂａ内に配設され、上下方向に移動可能な復帰用移動部材８２と、リール本体１２の前部に設けられ、復帰用移動部材８２の一部が当接可能な復帰用衝接部８４とを備えている。この場合、復帰用衝接部８４は、リール本体１２の前端面の外周部分（フランジ部１２ｃ）に突出形成されたものであり、以下に述べる復帰用移動部材８２のボス（当接部）８２ｂが当接して、ロータ１４の釣糸巻き取り方向への回転を規制する規制部８４ａを備えている。
【００２３】
本実施形態における復帰用移動部材８２は、アーム部１４ｂａ内に延出するようにロッド状に構成されており、その一端側には外側に向けてボス８２ａが屈曲形成され、他端側にはアーム部１４ｂａから円筒部１４ａ内に入り込むようにしてボス（当接部）８２ｂが屈曲形成されている。
【００２４】
アーム部１４ｂａに回動可能に支持された第１のベール支持部材１４ｃａには、その回動支持部分の近傍に略円弧状の長孔１４ｇが形成されており、この長孔１４ｇ内に復帰用移動部材８２のボス８２ａ（図２（Ａ）および図３（Ａ）参照）が配設されている。また、アーム部１４ｂａの下端部には、上下方向に延出する長孔１４ｈが形成されており、この長孔１４ｈ内に復帰用移動部材８２のボス８２ｂ（図２および図３参照）が配設されている。
【００２５】
上記した構成において、ボス８２ａ，８２ｂが形成された復帰用移動部材８２と、各長孔１４ｇ，１４ｈとは、以下のような位置関係、及び作動するように構成されている。  
図５（Ａ）に示すように、ベール１４ｄの支持部材１４ｃが釣糸巻取位置にあるとき、ボス８２ａは長孔１４ｇの下側端部１４ｍと係合し、かつ、ボス８２ｂは長孔１４ｈの上方に位置している。このとき、図２（Ａ）および図２（Ｂ）に示すように、ボス８２ｂは、リール本体１２に形成された復帰用衝接部８４と干渉しない位置、すなわち、ロータ１４が回転しても、ボス８２ｂは、復帰用衝接部８４の規制部８４ａと当接しないようになっている。
【００２６】
そして、ベール１４ｄを図５（Ｂ）に示すように、釣糸放出位置に向けて回動させると、長孔１４ｇの上側端部１４ｎがボス８２ａと係合し、ボス８２ａ（復帰用移動部材８２）を下方に向けて押し下げる。最終的に釣糸放出位置に回動されると、下端側のボス８２ｂは、図５（Ｂ）に示すように、長孔１４ｈの下方に位置するようになっている。このとき、ボス８２ｂは、図３（Ａ）および図３（Ｂ）に示すように、復帰用衝接部８４と干渉する位置にあり、すなわち、ボス８２ａが釣糸放出位置にあるときにロータ１４を正回転させる（ロータ１４を釣糸巻き取り方向に回転させる）と、ボス８２ｂが復帰用衝接部８４の規制部８４ａに当接して、その回転が規制されるようになっている。
【００２７】
図２、図３および図６に示すように、上記した構成のスピニングリール１０において、リール本体１２及びロータ１４には、切換レバー６２がＯＦＦの位置で、ベール１４ｄが釣糸巻取位置から釣糸放出位置に反転しないように移動することを規制する（ベール１４ｄを釣糸巻取位置に留める）規制機構（規制手段）９０が設けられている。
【００２８】
規制機構９０は、リール本体１２のフランジ部１２ｃに設けられ復帰用衝接部８４よりも内側（スプール軸３６に近接する側）に配設された複数の凸部（係合部）９２と、切換レバー６２がＯＦＦのときに復帰用移動部材８２のボス８２ｂの位置が釣糸巻取位置から釣糸放出位置に移動することを防止する略円環状の防止カラー（防止部材）９４と、この防止カラー９４を凸部９２に向かって付勢する付勢手段としてのコイルバネ９６とを有する。
【００２９】
防止カラー９４は、操作軸６２ａに配設され、切換レバー６２のＯＮ／ＯＦＦ操作（切換）により所定の範囲内で回動される（図６参照）。この防止カラー９４には、例えば所定の間隔に矩形状の複数の開口９４ａが形成されている。また、凸部９２も、防止カラー９４と同じ間隔に形成されている。すなわち、リール本体１２には、例えば所定の間隔に複数の凸部９２が形成されている。
【００３０】
そして、防止カラー９４は、リール本体１２に設けられた複数の凸部９２に載置されている。一方、凸部９２には、斜面９２ａと、この斜面９２ａに連続する平面９２ｂとが形成されている。そして、凸部９２は、防止カラー９４の矩形状の開口９４ａに対して出し入れ可能に配設されている。このため、防止カラー９４が切換レバー６２の切換によって回動するのにともなって、凸部９２の斜面９２ａに沿って防止カラー９４が昇降する（図６（Ｂ）参照）。特に、凸部９２の斜面９２ａの向きが規定され、切換レバー６２の操作範囲も規定されているので、防止カラー９４は切換レバー６２をＯＮの位置に配置したときには、図６（Ｂ）に示す実線の位置に配設され、切換レバー６２をＯＦＦの位置に配置したときには、図６（Ｂ）に示す破線の位置に配設される。
【００３１】
そして、コイルバネ９６の一端（図２（Ｂ）および図３（Ｂ）中の上端）は、リール本体１２に固定された抜け止め部材９８に当接されている。一方、コイルバネ９６の他端（下端）は、防止カラー９４に当接されている。このため、防止カラー９４は、コイルバネ９６により図２（Ｂ）および図３（Ｂ）中の下側に向かって付勢されている。
【００３２】
したがって、切換レバー６２をＯＮからＯＦＦの状態に切換えたときには、コイルバネ９６の付勢力に抗して防止カラー９４が凸部９２の斜面９２ａを図６（Ｂ）中の矢印の方向に上って平面９２ｂ上に載置される。一方、切換レバー６２をＯＦＦからＯＮの状態に切換えたときには、コイルバネ９６の付勢力によって防止カラー９４が凸部９２の斜面９２ａを図６（Ｂ）中の矢印の方向に滑り降りる。
【００３３】
なお、第２のベール支持部材１４ｃｂを回動可能に支持するアーム部１４ｂｂの内部には、ベール支持部材１４ｃを釣糸巻取位置と釣糸放出位置とに振り分け付勢保持する振り分け機構（反転機構）１００が配設されている。具体的には、この振り分け機構１００は、支軸１０２を介してアーム部１４ｂｂに揺動可能に取り付けられた筒状の揺動部材１０４と、ベール支持部材１４ｃｂと揺動部材１０４とを接続し且つ揺動部材１０４と協働してベール支持部材１４ｃを２つの位置に振り分ける振り分け部材１０６と、振り分け部材１０６と揺動部材１０４との間に介挿された圧縮コイルバネ１０８とを備えている。
【００３４】
ベール支持部材１４ｃｂは、アーム部１４ｂｂの内部でピン１１０ａによって回動可能に支持された略半円環状の取付部１１０を有している。この取付部１１０は、アーム部１４ｂｂの円弧状の内面とピン１１０ａの外周面との間に形成される円弧空間１１０ｂによって案内支持されるようになっている。
【００３５】
また、振り分け部材１０６は、ピン１１０ａの中心から偏心した位置で取付部１１０に回動可能に係合接続される係合部１０６ｂを有する接続端部１０６ａと、揺動部材１０４の筒状部内に挿入される軸部１０６ｃとを有している。また、軸部１０６ｃの外周には圧縮コイルバネ１０８が巻装されており、圧縮コイルバネ１０８の一端側は、揺動部材１０４内に挿入されて揺動部材１０４の底部で受けられているとともに、圧縮コイルバネ１０８の他端側は、振り分け部材１０６のバネ受け面１０６ｄで受けられている。
【００３６】
図７（Ａ）は、第２のベール支持部材１４ｃｂが圧縮コイルバネ１０８の付勢力によって釣糸巻取位置に振り分け保持された状態を示している。この状態において、圧縮コイルバネ１０８は、ベール支持部材１４ｃに対しこれを図７（Ａ）中反時計回りに回転させる方向で付勢力を付与し、ベール支持部材１４ｃｂの取付部１１０の端部１１０ｃをアーム部１４ｂｂの突き当て部１１２に当て付かせている。この釣糸巻取位置から、手動でベール１４ｄの第２のベール支持部材１４ｃｂを圧縮コイルバネ１０８の付勢力に抗して図７（Ａ）中時計回り方向に回動させる（この時、ベール１４ｄを介して第２のベール支持部材１４ｃｂと接続する第１のベール支持部材１４ｃａも図中時計回り方向に回動する）と、第２のベール支持部材１４ｃｂに係合接続された振り分け部材１０６は、第２のベール支持部材１４ｃｂと共に移動しながら、係合部１０６ｂを中心に第２のベール支持部材１４ｃｂに対して反時計回りに相対的に回動するとともに、揺動部材１０４内に受けられたその軸部１０６ｃによって揺動部材１０４を支軸１０２を中心に反時計回りに揺動させる。また、この時、振り分け部材１０６は、その軸部１０６ｃが揺動部材１０４内に入り込むことにより、揺動部材１０４との間に介挿された圧縮コイルバネ１０８を圧縮する。そして、振り分け機構１００のデッドポイントを越える領域まで第２のベール支持部材１４ｃｂが時計回りに回動された時点で、圧縮コイルバネ１０８は、第２のベール支持部材１４ｃｂに対しこれを図中時計回りに回転させる方向（釣糸放出位置へ回動させる方向）で付勢力を付与するようになり、その後、第２のベール支持部材１４ｃｂは、圧縮された圧縮コイルバネ１０８の付勢力によって、釣糸放出位置に保持される。その状態が図７（Ｂ）に示されている。
【００３７】
また、この図７（Ｂ）に示される釣糸放出位置から、手動で第２のベール支持部材１４ｃｂを圧縮コイルバネ１０８の付勢力に抗して図中反時計回り方向に回動させると、第２のベール支持部材１４ｃｂに係合接続された振り分け部材１０６は、第２のベール支持部材１４ｃｂと共に移動しながら、係合部１０６ｂを中心として第２のベール支持部材１４ｃｂに対して時計回りに相対的に回動するとともに、その軸部１０６ｃによって揺動部材１０４を支軸１０２を中心に時計回りに揺動させる。そして、振り分け機構１００のデッドポイントを越える領域まで第２のベール支持部材１４ｃｂが反時計回りに回動された時点で、圧縮コイルバネ１０８は、第２のベール支持部材１４ｃｂに対しこれを図中反時計回りに回転させる方向（釣糸巻取位置へ回動させる方向）で付勢力を付与するようになり、その後、第２のベール支持部材１４ｃｂ（および、ベール１４ｄを介して第２のベール支持部材１４ｃｂと接続する第１のベール支持部材１４ｃａ）は、手動によらず、伸長する圧縮コイルバネ１０８の付勢力によって、釣糸巻取位置へと回動されて、この位置（図７（Ａ）の位置）で保持される。
【００３８】
以下、上述したような魚釣用スピニングリール１０の作用について説明する。  
通常、釣糸の放出（仕掛けの投擲）に際しては、切換レバー６２をＯＮの位置の逆転防止状態に配置し、第１および第２のベール支持部材１４ｃａ，１４ｃｂ（ベール１４ｄ）を、釣糸巻取位置（図２（Ａ）、図５（Ａ）、図７（Ａ）参照）から振り分け機構１００によって釣糸放出位置（図５（Ｂ）、図７（Ｂ）参照）に反転操作して、釣糸を釣糸案内部１４ｅから外した状態とし、釣竿を振り下ろすことで成される。
【００３９】
このように、ベール１４ｄを図５（Ａ）に示す釣糸巻取位置から振り分け機構１００によって図５（Ｂ）に示す釣糸放出位置に回動させると、復帰用移動部材８２は、上端側のボス８２ａに当て付く長孔１４ｇの上側端部１４ｎによって押し下げられ、図５（Ｂ）に示す位置に移動される。これにより下端側のボス８２ｂは、規制機構９０の規制を受けることなく復帰用衝接部８４の規制部８４ａに当接可能な位置に入り込む。
【００４０】
次に、実釣時の釣糸放出前の作業の中で、切換レバー６２をＯＦＦの位置に配置したとき、防止カラー９４がコイルバネ９６の付勢力に抗して回動しながら、凸部９２の平面９２ｂの上側に載置される。すなわち、防止カラー９４は切換レバー６２がＯＮの位置に対してスプール軸３６の軸方向に沿って図３（Ａ）中の上側に移動する。このとき、防止カラー９４は凸部９２の上側に載置された状態にあるので、切換レバー６２（逆転防止機構）が正逆転可能状態時に、仮に、釣人がうっかりしてベール支持部材１４ｃａ，１４ｃｂを釣糸巻取位置から釣糸放出位置へ反転操作しようとしても、復帰用移動部材８２のボス８２ｂが防止カラー９４によって、図３（Ａ）および図３（Ｂ）中の下方に移動すること（釣糸巻取位置から釣糸放出位置への移動）が規制される。すなわち、釣糸巻取位置から釣糸放出位置にベール１４ｄが回動する（ベール１４ｄを起こす）ことが防止される。そうすると、釣人が直接手でベール１４ｄを反転操作できないことにより、釣糸放出モードでないことを確実に認識できて、通常の逆転防止状態に切換操作する。これにより、釣竿の振り下ろし時の勢いやハンドル２４の位置の影響等により、ロータ１４が不意に勢い良く逆回転して、ロータ１４やリール本体１２の反転機構８０、アーム部１４ｂ等に大きな力が加えられることが防止される。
【００４１】
一方、復帰用移動部材８２が釣糸巻取位置の状態で、切換レバー６２をＯＦＦからＯＮの位置に切換えると、切換レバー６２に連結された操作軸６２ａが回動する。そして、防止カラー９４は、復帰用移動部材８２のボス８２ｂから離隔して図６（Ｂ）中に実線で示す位置に移動する。このとき、復帰用移動部材８２のボス８２ｂと防止カラー９４とは離れた状態にあり、ボス８２ｂはアーム部１４ｂの下端部の長孔１４ｈの範囲内を移動可能である。このため、復帰用移動部材８２のボス８２ｂは、図２（Ｂ）中の実線（釣糸巻取位置）および破線（釣糸放出位置）の間を移動可能である。すなわち、ベール支持部材１４ｃが釣糸巻取位置（図５（Ａ）参照）と釣糸放出位置（図５（Ｂ）参照）との間で回動自在である。
【００４２】
切換レバー６２がＯＮの位置のとき、ロータ１４は、転がり式の一方向クラッチ４６によって逆転方向の回転が阻止されている。この状態でベール１４ｄを釣糸放出位置に回動させる際には、正転方向にのみ回転可能となっているが、ロータ１４を回転操作すると、下端側のボス８２ｂが規制部８４ａに当接し、これにより、ロータ１４は正転方向への回転も規制されてしまい、正転および逆転不能状態となる。
【００４３】
すなわち、仕掛けを投擲する際には、転がり式一方向クラッチ４６の逆回転防止作用、及び反転機構８０の正回転防止作用によって、ロータ１４が固定される。
【００４４】
そして、仕掛け投擲後に、ベール１４ｄを図５（Ａ）に示す釣糸巻取位置に回動させると、図２（Ｂ）に実線で示すように、復帰用移動部材８２の下端側のボス８２ｂは、復帰用衝接部８４と干渉しない位置に移動される。したがって、ロータ１４は正転方向に自由に回転可能な状態となる。
【００４５】
以上説明したように、この実施の形態によれば、以下のことが言える。  
切換レバー６２をＯＮの位置に配置した状態のとき、復帰用移動部材８２を釣糸巻取位置と釣糸放出位置とに自在に変更することができる。または、ベール１４ｄを回動させて、復帰用移動部材８２を釣糸巻取位置と釣糸放出位置との間に移動させても、切換レバー６２はＯＮの位置を維持することができる。
【００４６】
一方、切換レバー６２をＯＦＦの位置に配置した状態のとき、復帰用移動部材８２は防止カラー９４によって釣糸巻取位置にのみ規制を受けることなく配設され、釣糸放出位置に移動することが規制され支持部材１４ｃａ，１４ｃｂを釣糸放出位置へ反転操作できないように規制されている。
【００４７】
したがって、切換レバー６２がＯＦＦの位置では、ベール１４ｄの復帰用移動部材８２を釣糸巻取位置から釣糸放出位置に反転させることができないので、釣人が切換レバー６２の位置がキャストモードでないことを確実に認識でき、切換レバー６２がＯＦＦの位置での釣糸放出操作などの誤操作を未然に防止することができる。
【００４８】
なお、この実施の形態では、スプール軸３６を中心として同心状に１つのコイルバネ（大径のコイルバネ）９６が配設されたものとして説明したが、複数のコイルバネ（小径のコイルバネ）が防止カラー９４が配置された位置に適当な間隔をおいて配設されていることも好適である。また、防止カラー９４を図２（Ｂ）および図３（Ｂ）中の下側に向かって付勢することができるのであれば、付勢手段はコイルバネ９６に限らず、種々のバネや弾性体を用いることができる。
【００４９】
また、この実施の形態では防止カラー９６を環状であるものとして説明したが、環状ではなく、復帰用移動部材８２のボス８２ｂを押圧可能な範囲だけに形成されていることも好適である。  
更に、防止カラー９４の前後動移動方法は、カム係合に代わって、リール本体１２との螺合方法で切換レバー６２の回転を防止カラー９４の前後動に変換しても良い。
【００５０】
これまで、一実施形態について図面を参照しながら具体的に説明したが、この発明は、上述した実施の形態に限定されるものではなく、反転復帰機構８０、逆転防止機構４６、規制機構９０、振り分け機構１００等は、その要旨を逸脱しない範囲で行なわれるすべての実施を含む。
【図面の簡単な説明】
【００５１】
【図１】本発明の一実施の形態に係る魚釣用スピニングリールの全体構成に主要部の構成を合わせた部分断面図。
【図２】（Ａ）は一実施の形態に係る魚釣用スピニングリールの図１に示す断面図の拡大図であって復帰用移動部材を釣糸巻取位置に配置した図、（Ｂ）は図２（Ａ）中の符号２Ｂで示す部分の拡大図。
【図３】（Ａ）は一実施の形態に係る魚釣用スピニングリールの図１に示す断面図の拡大図であって復帰用移動部材を釣糸放出位置に配置した図、（Ｂ）は図３（Ａ）中の符号３Ｂで示す部分の拡大図。
【図４】図２（Ａ）および図３（Ａ）中のＩＶ−ＩＶ線に沿う概略的な断面図。
【図５】（Ａ）は復帰用移動部材を釣糸巻取位置に配置した図、（Ｂ）は復帰用移動部材を釣糸放出位置に配置した図。
【図６】（Ａ）は図２（Ａ）および図３（Ａ）中の６Ａ−６Ａ線に沿う概略的な断面図、（Ｂ）は図６（Ａ）中の６Ｂ−６Ｂ線に沿う概略的な断面図。
【図７】（Ａ）はアーム部の内部に設けられた振り分け機構の、釣糸巻取位置のときの断面図、（Ｂ）はアーム部の内部に設けられた振り分け機構の、釣糸放出位置の断面図。
【符号の説明】
【００５２】
１０…魚釣用スピニングリール、１２…リール本体、１２ａ…脚部、１２ｂ…竿取付部、１４…ロータ、１４ａ…筒部、１４ｂ…アーム部、１４ｃ…ベール支持部材、１４ｄ…ベール、１４ｅ…釣糸案内部、１４ｆ…外カバー、１４ｇ…長孔、１４ｈ…長孔、１４ｍ…下側端部、１４ｎ…上側端部、１６…スプール、１６ａ…スカート部、１６ｂ…前側フランジ、１６ｃ…釣糸巻回胴部、２２…ハンドル軸、２４…ハンドル、３２…ドライブギャ、３４…ピニオンギャ、３４ａ…軸受、３４ａ…作動部、３６…スプール軸、３８…螺軸、３８ａ…螺旋溝、４０…係合子、４０ａ…係合ピン、４２…連動歯車、４４…ナット、４６…一方向クラッチ、５０…支持部、５０ａ…前部段部、５２…内輪部材、５４…保護キャップ、５６…外輪部材、５８…転がり部材、５８ａ…保持器、５８ｂ…作動アーム、６０…回り止め部材、６２…切換レバー、６２ａ…操作軸、７２…ドラグノブ、８０…反転復帰機構、８２…復帰用移動部材、８２ａ…ボス、８２ｂ…ボス、８４…復帰用衝接部、８４ａ…規制部、９０…規制機構、９２…凸部（係合部）、９２ａ…斜面、９２ｂ…平面、９４…防止カラー（防止部材）、９４ａ…開口、９６…コイルバネ、９８…抜け止め部材。
【図１】
0004887277.tif 000002
【図２】
0004887277.tif 000003
【図３】
0004887277.tif 000004
【図４】
0004887277.tif 000005
【図５】
0004887277.tif 000006
【図６】
0004887277.tif 000007
【図７】
0004887277.tif 000008